【事件の表示】
　特許第２８４５９０８号　「シャドウマスク型カラー陰極線管」の請求項１から請求項４までに係る特許に対する特許異議の申立てについて、次のとおり決定する。
【結　論】
　訂正を認める。
　特許第２８４５９０８号の請求項１（申立てがされた請求項１）、請求項２（同請求項３）及び請求項３（同請求項４）に係る特許を維持する。
　なお、申立てがされた請求項２は削除された。
【理　由】
第一．手続の経緯
　本件特許（特許第２８４５９０８号）に係る発明についての出願は、昭和６３年１１月３０日にされ、平成１０年１０月３０日にその発明について特許権の設定の登録がされた。
　その後、その請求項１から請求項４までに係る特許について、特許異議申立人・伊藤輝夫から特許異議の申立てがあった。
　平成１１年１２月１３日に取消しの理由が通知されたところ、同通知において指定された期間内である平成１１年１２月１３日に訂正請求書が提出された。
　
第二．平成１１年１２月１３日付け訂正の請求
１．請求の趣旨及び訂正の内容
　平成１１年１２月１３日付け訂正の請求（以下、「本件訂正」という）の趣旨は、願書に添付した明細書（以下、「特許明細書」という）を訂正請求書に添付した訂正した明細書（以下、「訂正明細書」という）のとおりに訂正することを求めるもので、その訂正の内容は下記１のとおりである。
　また、訂正明細書の特許請求の範囲の記載は下記２のとおりである。
　　　　　　　記１（訂正の内容）
　訂正事項（ａ）
　特許請求の範囲において、請求項１の「内面の曲率半径が有限なほぼ球面または円筒面をなし、外面がほぼ平面をなすフェイスプレイトと、張力によって平板状または円筒状に保持させたシャドウマスクを有し、前記シャドウマスクの電子ビーム通過用の丸孔またはスリットのピッチは全面にわたってほぼ一定である」（訂正前）を、「内面の曲率半径が有限なほぼ球面をなし、外面がほぼ平面をなすフェイスプレイトと、張力によって平板状に保持させたシャドウマスクを有し、前記シャドウマスクの電子ビーム通過用の丸孔のピッチは全面にわたってほぼ一定である」（訂正後）に、特許請求の範囲の減縮を目的として訂正する。
　訂正事項（ｂ）
　特許請求の範囲において、請求項２（訂正前）を削除する。
　訂正事項（ｃ）
　特許請求の範囲において、上記訂正事項（ｂ）に伴い、請求項３及び請求項４（訂正前）をそれぞれ請求項２及び請求項３（訂正後）に繰り上げるとともに、各請求項中の「請求項１および２に記載」を「請求項１に記載」と訂正する。
　　　　　　　記２（訂正明細書の特許請求の範囲）
　１．内面の曲率半径が有限なほぼ球面をなし、外面がほぼ平面をなすフェイスプレイトと、張力によって平板状に保持させたシャドウマスクを有し、前記シャドウマスクの電子ビーム通過用の丸孔のピッチは全面にわたってほぼ一定であることを特徴とするシャドウマスク型カラー陰極線管。
　２．フェイスプレイトの外面に反射防止膜を施したガラス平板を接着剤で貼付けたことを特徴とする請求項１に記載のシャドウマスク型カラー陰極線管。
　３．フェイスプレイトの外面に平板状タッチパネルを装着したことを特徴とする請求項１に記載のシャドウマスク型カラー陰極線管。
２．訂正の適否
（１）訂正の目的
  訂正事項（ａ）は、内面の曲率半径、シャドウマスクの形状及び電子ビーム通過用の孔の形状について、「球面または円筒面」を「球面」に、「平板状または円筒状」を「平板状」に、「丸孔またはスリット」を「丸孔」に、それぞれ、訂正するもので、これらは択一的に記載された複数の事項をそのうちの一の事項に特定するものであるから、特許請求の範囲の減縮に該当する。
　訂正事項（ｂ）は、請求項の削除であるから、特許請求の範囲の減縮に該当する。
　訂正事項（ｃ）は、請求項の削除に伴い、その請求項の番号及び引用する請求項の番号をそれぞれ整理するものであるから、明りょうでない記載の釈明に該当する。
（２）新規事項
  特許明細書の第５頁１２行から第７頁９行まで（公報第３欄４７行から第４欄３０行まで）には、「［実施例］・・・内面にカラー蛍光面１０が形成されたパネル１のスカート部２に・・・シャドウマスク６を平板状に張架したフレーム５が懸架されている。シャドウマスク６には直径が０．０８ｍｍの孔を０．２ｍｍピッチで全面に穿設してある。・・・即ち、フェイスプレイト１１の内面に或る曲率を持たせることが必要である。この曲率は、シャドウマスクの丸孔のピッチがシャドウマスクの全面にわたってほぼ一定であることと、・・・という条件からほぼ一義的に決定されるのである。」と記載されている。
　したがって、訂正事項（ａ）、（ｃ）は、いずれも、願書に添付した明細書又は図面に記載した事項の範囲内においてする訂正である。
（３）特許請求の範囲の実質上拡張・変更
　訂正事項（ａ）は特許請求の範囲の減縮に該当し、また、訂正の前後において産業上の利用分野、解決しようとする課題及び効果に変更はない。
　したがって、訂正事項（ａ）、（ｃ）は、実質上特許請求の範囲を拡張し、又は変更するものではない。
（４）独立特許要件
（ａ）取消しの理由
　当審が平成１１年１２月１３日付けで通知した取消しの理由は、概略、下記のとおりである。
　　　　　　　記（取消しの理由）
　請求項２に係る特許は、特許明細書及び図面の記載が下記の点で不備のため、特許法第３６条の規定に違反してされたものである。　　　　　　　　　　　　　　　記（不備である点）
　「ほぼ一義的に決定される」の根拠が明りょうでない。（なお、請求項１において、円筒面をなす内面と円筒状シャドウマスクとの組合せ並びに一定のピッチについては、甲第２号証、特開昭６２−２４３４号公報、特開昭５８−１０３５８号公報を参照）
（ｂ）検討
　本件訂正により、請求項２は削除された。
　したがって、取消しの理由は解消した。
　以上のとおり、本件特許は特許法第３６条の規定に違反してされたものである、とすることはできないから、特許出願の際独立して特許を受けることができるものである。
３．訂正の請求の結論
　以上、本件訂正は、特許法第１２０条の２第２項の規定及び同条第３項において準用する特許法第１２６条第２項から第４項までの規定に適合するから、これを認める。
　
第三．特許異議の申立て
１．本件発明
　上述のとおり、本件訂正を認めるから、本件特許に係る発明は、訂正明細書及び図面の記載からみて、その特許請求の範囲に記載された下記のとおりのものである。
　　　　　　　記（本件発明）
　１．内面の曲率半径が有限なほぼ球面をなし、外面がほぼ平面をなすフェイスプレイトと、張力によって平板状に保持させたシャドウマスクを有し、前記シャドウマスクの電子ビーム通過用の丸孔のピッチは全面にわたってほぼ一定であることを特徴とするシャドウマスク型カラー陰極線管。
　２．フェイスプレイトの外面に反射防止膜を施したガラス平板を接着剤で貼付けたことを特徴とする請求項１に記載のシャドウマスク型カラー陰極線管。
　３．フェイスプレイトの外面に平板状タッチパネルを装着したことを特徴とする請求項１に記載のシャドウマスク型カラー陰極線管。
２．申立ての概要
　特許異議の申立ての理由は下記１のとおりであり、提出された証拠方法は下記２のとおりである。
　　　　　　　記１（申立ての理由）
　請求項１から請求項４までに係る特許は、いずれも、特許法第２９条第２項の規定に違反してされたものであるから、請求項１から請求項４までに係る特許は取り消すべきものである。
　　　　　　　記２（証拠方法）
　　甲第１号証：ＥＩＡＪ（電子機械工業会標準規格）Ｊ−１００Ｃ１　１９８３年１月１８日決定
　  甲第２号証：特公昭４８−１２５４８号公報
　　甲第３号証：特開昭６２−２５２０３３号公報
    甲第４号証：「Contoured-line screens for new in-line color picture tubes」 RCA Picture Tube(Copyright 1980 RCA Corporation All rights reserved)
    甲第５号証：ＮＨＫ　カラーテレビ教科書［上］昭和５８年５月１０日　第１８刷発行
    甲第６号証：特開昭４９−７５２６０号公報
    甲第７号証：実開平２−１８１４４号公報
３．申立ての検討
（１）申立てがされた請求項と訂正後の請求項
　まず、申立てがされた請求項２は、本件訂正により削除され申立ての対象はなくなった。つぎに、申立てがされた請求項１、請求項３及び請求項４は、本件訂正により、それぞれ、請求項１、請求項２及び請求項３に訂正され、そして、訂正後の請求項１から請求項３までに係る発明は「第四　１．　記（本件発明）」に記載したとおりのものである。以下、訂正後の請求項１から請求項３までに係る発明について検討する。
（２）各甲号証に記載された事項及びその検討
　甲第１号証には、その１／２頁に「フェース内面のＲ８００ｍｍ」との記載が、その２／２頁に「Ｒ　（無限大の記号）、Ｒ　８００」との記載があるものの、平板状シャドウマスクに関する記載はない。
　甲第２号証には、「スリットとスリットとの間隔（以下ピッチ巾呼称する）は各部ほぼ一様で中心部のピッチＰＣも周辺部のピッチＰＥもほぼ等しく形成されている」（第２欄１９行から２２行まで）と記載されてはいるが、「このグリッド素体Ｇを図示せざるもフレームにＶ方向を軸心とする円筒面上に架張してグリッド装置ＡＧを構成する」（第４欄２０行から２２行まで）と記載されているように、グリッド素体Ｇ（シャドウマスク）は円筒状であって平板状ではない。
　甲第３号証に記載されたアパーチャグリル構体（シャドウマスク）も、甲第２号証と同様に、円筒状であって平板状ではない。
　甲第４号証には、「マスクの曲率は、Ｆｉｇ８に示すように蛍光体３色の正確な組合せ（nesting）を保証するように陰極線管の形状とフェイスプレイトの曲率で決められるので、マスクの曲率は任意には変更することができない。特に、マスクの曲率は、間隔ｑが式（Ｆｉｇ．８）ｑ＝Ｌａ／３ｓに従うようにフェイスプレイトの曲率から変化する。」（第４７頁左欄１３行から２２行まで）と記載されてはいるが、シャドウマスクとフェイスプレイト内面との間隔ｑ、偏向面とフェイスプレイト内面との距離Ｌ、電子ビーム通過用開口のピッチａ及び偏向面でのビーム間隔ｓの関係を示すにとどまり、平板状シャドウマスクに関する記載はない。
　甲第５号証から甲第７号証までのいずれにも、平板状シャドウマスクに関する記載はない。
　このように、甲第１号証から甲第７号証までのいずれにも、訂正後の請求項１から請求項３までに係る発明の構成である「内面の曲率半径が球面をなすフェイスプレイトと、平板状に保持させたシャドウマスクを有し、丸孔のピッチは全面にわたって一定であること」が記載されておらず、また、これらのフェイスプレイト、シャドウマスク及びピッチの組合せを示唆する記載もない。
　そして、訂正後の請求項１から請求項３までに係る発明は、この構成により、訂正明細書に記載された「板厚を薄く、上記開口の形状寸法やピッチを小さくした高精細度に好適なシャドウマスクが容易に実用可能となり、」（第４頁６行から７行まで）との効果を得るものである。
  よって、訂正後の請求項１から請求項３までに係る発明は、いずれも、甲第１号証から甲第７号証までに記載された発明に基づいて当業者が容易に発明をすることができたものであるとすることはできない。
（３）特許異議の申立てのまとめ
  以上より、訂正後の請求項１から請求項３まで（申立てがされた請求項１、請求項３及び請求項４）に係る発明は、いずれも、甲第１号証から甲第７号証までに記載された発明に基づいて当業者が容易に発明をすることができたものであるとすることはできないから、「請求項１から請求項４までに係る特許は、いずれも、特許法第２９条第２項の規定に違反してされたものであるから、請求項１から請求項４までに係る特許は取り消すべきものである。」とする特許異議申立人の主張は採用することができない。
　
第四．むすび
　以上のとおりであるから、特許異議の申立ての理由及び証拠によっては、訂正後の請求項１から請求項３までに係る特許を取り消すことはできない。
  また、他に訂正後の請求項１から請求項３までに係る特許を取り消すべき理由を発見しない。
　よって、結論のとおり決定をする。
【異議決定日】
平成１２年２月１５日（２０００．２．１５）
【訂正の要旨】
　訂正事項（ａ）
　特許請求の範囲において、請求項１の「内面の曲率半径が有限なほぼ球面または円筒面をなし、外面がほぼ平面をなすフェイスプレイトと、張力によって平板状または円筒状に保持させたシャドウマスクを有し、前記シャドウマスクの電子ビーム通過用の丸孔またはスリットのピッチは全面にわたってほぼ一定である」（訂正前）を、「内面の曲率半径が有限なほぼ球面をなし、外面がほぼ平面をなすフェイスプレイトと、張力によって平板状に保持させたシャドウマスクを有し、前記シャドウマスクの電子ビーム通過用の丸孔のピッチは全面にわたってほぼ一定である」（訂正後）に、特許請求の範囲の減縮を目的として訂正する。
　訂正事項（ｂ）
　特許請求の範囲において、請求項２（訂正前）を削除する。
　訂正事項（ｃ）
　特許請求の範囲において、上記訂正事項（ｂ）に伴い、請求項３及び請求項４（訂正前）をそれぞれ請求項２及び請求項３（訂正後）に繰り上げるとともに、各請求項中の「請求項１および２に記載」を「請求項１に記載」と訂正する。
（５４）【発明の名称】
　シャドウマスク型カラー陰極線管
（５７）【特許請求の範囲】
　１．内面の曲率半径が有限なほぼ球
面を
状に
孔の
　
２．
１
　
３．
１
【発明の詳細な説明】
〔産業上の利用分野〕
　本発明は、カラーテレビジョン受像管、情報処理装置用カラー表示管などの特に高精細度なものに好適なシャドウマスク型カラー陰極線管に関する。
〔従来の技術〕
　特開昭６３−９４２号公報記載の如く、フェイスプレイトの内面が平らで、かつシャドウマスクも平らな場合には、シャドウマスクの孔またはスリットを通過してフェイスプレイトの内面に到達した電子ビームの相互間隔が一定にならず、シャドウマスクの周辺では所謂デグルーピングするので、電子通過用開口のピッチをシャドウマスクの周辺部では中央部よりも大きくすることが提案されている。しかし、シャドウマスクの孔のピッチを、周辺では中央よりも大きくすると、周辺の解像度が落ちるなどの欠陥が生ずる。一方、特開昭６３−９４２号公報記載のように、シャドウマスクに張力を与えて引っ張る場合には、シャドウマスクを平板にせざるを得ず、また、フェイスプレイトの外面が平らなことは、其処に反射防止灘施したガラスを貼り付ける場合に、ガラス平板を用いることが可能となり、経済的利点もある。
〔発明が解決しようとする課題〕
　本発明は、上記平面状または円筒面状シャドウマスクで電子ビーム通過用開口のピッチを中央より周辺で大きくすると周辺解像度が劣化するなどの問題を解決すると共に、フェイスプレイト外面を平らにして其の利点を保持したシャドウマスク型カラー陰極線管を提供することを目的とする。
〔課題を解決するための手段〕
　上記目的を達成するために本発明においては、フェイスプレイトの外面をほぼ平面に形成し、かつ、シャドウマスクの電子ビーム通過用開口のピッチをシャドウマスクの全面にわたってほぼ一定とし、更にフェイスプレイト内面の形状を、電子銃の構造寸法、偏向ヨークの磁界特性、それにより各部位で定まる電子ビームの偏向角を与件とし、上記開口のピッチがシャドウマスク全面でほぼ一定という条件と、上記開口を通過してフェイスプレイトの内面に達した各色電子ビーム夫々の到達位置のピッチが一定という条件の下で、ほぼ一義的に決定される曲率を有するように設定した。
〔作用〕
　上記のような手段をとれば、平板状または円筒面状シャドウマスクの電子ビーム通過用開口のピッチを、従来、中央より周辺で大きくした．ために生じていた周辺解像度が劣化するなどの問題が解決され、しかも、フェイスプレイト外面が平らで、其の利点を保持したシャドウマスク型カラー陰極線関が得られる。なお、平板状または円筒面状のシャドウマスクを張力を与えてマスクフレームに張架支持させるようにすれば、自己形状保持性は不要であるから、板厚の薄い、電子ビーム通過用開口の大きさや其のピッチが小さい、高精細度用に好適なシャドウマスクを実用することが容易に可能となる。
〔実施例〕
　第１図は本発明一実施例の要部を断面にした側面図である。内面にカラー螢光面１０が形成されたパネル１のスカート部２に植設されたピン３に、スプリング４を介して、シャドウマスク６を平板状に張架したフレーム５が懸架されている。シャドウマスク６には直径が０．０８ｍｍの孔を０．２ｍｍピッチで全面に穿設してある。孔は、周知のように、孔の中心を結ぶ線が互いに６０度で交わるようになっていて、総ての孔が等間隔に配列されている。
　一方、電子銃７から、相互の間隔が５．５ｍｍで、パネル１のフェイスプレイト１１の内面の中心で集中するように射出された３本の電子ビーム８は、偏向コイル９によって、カラー螢光面１０の全面にわたって偏向される。このとき３本の電子ビームが、カラー螢光面１０の全面にわたって、入射した点において集中するように、偏向コイル９の磁界を調整したり（自己集中型コイル）、電子ビームの相互間隔を偏向する前に適当量大きく調整したりする。このような調整のために、もしシャドウマスク６とフ土イスプレイト１１の内面すなわちカラー螢光面１０の両方が平面であると、シャドウマスクを通過してカラー螢光面１０に達した電子ビーム８の相互の間隔は中央に比べて周辺では大きくなり、電子ビーム８の入射する点の間隔を全面にわたって一様にすることは出来ない。これを一様にするためには、シャドウマスク６とフェイスプレイト１１の内面すなわちカラー螢光面１０との間隔を中央から周辺に行くに従って小さくすることが必要である。即ち、フェイスプレイト１１の内面に或る曲率を持たせることが必要である。この曲率は、シャドウマスクの丸孔のピッチがシャドウマスクの全面にわたってほぼ一定であることと、電子ビームの偏向角、電子銃の寸法、偏向ヨークの磁界特性と、シャドウマスクの孔を通り抜けてフェイスプレイト内面すなわちカラー螢光面１０に達した電子ビームの到達位置の相互間隔が一定であるという条件からほぼ一義的に決定されるのである。例えば、シャドウマスクの丸孔のピッチが０．２ｍｍ、電子ビームの偏向角が９０度、電子ビーム到達位置の相互間隔が５．５ｍｍ、自己集中型コイルを用いて設計した場合、カラー螢光面１０の対角径が３００ｍｍの場合は曲率半径が約２０ｍ、カラー螢光面１０の対角径が４５０ｍｍの場合は曲率半径は約３０ｍとなった。
　フェイスプレイト１１の外面は平らなので、当然のことながら、フェイスプレイト１１の肉厚は中央に比較して周辺では厚くなる。また、フェイスプレイト１１の外面が平らなため、第２図に示すように、例えば表面に無反射膜を形成したガラス板１２を接着剤１３で貼り付けるような場合には、ガラス板１２として平板を使用できるので経済的である。
　上記実施例は、丸孔のシャドウマスクとインライン配列の電子銃の場合であったが、スリットを穿設したシャドウマスクや円筒形状のフェイスプレイト、或いはデルタ配列の電子銃を用いた場合でも同様な効果が得られることは勿論である。
〔発明の効果〕
　以上説明したように本発明によれば、一定のピッチで電子ビーム通過用開口を穿設した平面状のシャドウマスクを、張力を与えてマスクフレームに張架して用いるので、板厚を薄く、上記開口の形状寸法やピッチを小さくした高精細度に好適なシャドウマスクが容易に実用可能となり、しかもフェイスプレイト内面が本発明に係る曲率を有する曲面形状であるため、周辺部で解像度が劣化することも無く、また、フェイスプレイト外面が平らなため、反射防止膜を施したガラス板を貼り付けたり、タッチパネルを付けたりする場合には、平らなもので済むので安価になるなどの効果が得られる。
【図面の簡単な説明】
　第１図は本発明一実施例の要部を断面にした側面図、第２図は反射防止膜を施したガラス平板をフェイスプレイト外面に貼り付けた本発明実施例の一部切断側面図である。
　１……パネル、２……スカート部、３……ピン、．４……スプリング、５……フレーム、６……シャドウマスク、７……電子銃、８……電子ビーム、９……偏向コイル、１０……カラー螢光面、１１……フェイスプレイト、１２……反射防止膜を施した平らなガラス板、１３……接着剤。